(57)【要約】【課題】  照明デザインを変更することが発生するような場合にでも、照明版のみの変更や、一部のケースの変更のみで、照明ランプやケースの位置が変更可能となるような照明デザインの変更を行うことができるエレベータのかご室を得る。【解決手段】  かご室を構成する壁板２と、かご室の上部を構成し壁板に固定される天井板３と、天井板３に固定されるもので、ボルト１１を固定すると共にボルト１１の固定可能な位置を所定範囲設けたレール１０と、ボルト１１と螺合による締結可能なナットと、ボルト１１とナット１２によって固定され、光源体を有するケース４とを備えた。【選択図】          図１
2006199401.tif 000002
【特許請求の範囲】
【請求項１】
かご室を構成する壁板と、かご室の上部を構成し壁板に固定される天井板と、天井板に固定されるもので、締結手段の一方を固定すると共に前記締結手段の一方の固定可能な位置を所定範囲設けたレールと、前記締結手段の一方と締結可能な締結手段の他方と、前記締結手段によって前記レールに固定され、光源体を有するケースとを備えたことを特徴とするエレベータのかご。
【請求項２】
前記レールは、前記天井板の左側及び右側においては前記レールの長手方向を横方向に向けて平行に４つ並列し、前記天井板の左側と右側との間においては、前記レールの長手方向を縦にして３つを一直線上に２列に並列して配設され、固定されることを特徴とする請求項１に記載のエレベータのかご。
【請求項３】
前記レールは、前記天井板の左側及び右側においては前記レールの長手方向を横方向に向けて平行に６つ並列し、前記天井板の左側と右側との間においては、前記レールの長手方向を縦にして３つを一直線上として２列に並列して配設されることを特徴とする請求項１に記載のエレベータのかご。
【請求項４】
かご室を構成する壁板とかご室の上部を構成し壁板に固定される天井板とを固定するステップと、締結手段の一方を固定すると共に前記締結手段の一方の固定可能な位置を所定範囲設けたレールを前記天井板に固定するステップと、前記締結手段の一方と締結可能な締結手段の他方とによって、光源体を有するケースを前記レールに固定するステップとを備えたことを特徴とする請求項１乃至３のいずれかに記載のエレベータのかごの製造方法。
【請求項５】
天井板に固定された前記レールに固定された締結手段によって固定されていた前記ケースを移動可能にするステップと、前記ケースを所定の位置に移動または複数ある前記ケースの一部を変更するステップと、前記ケースを締結手段によってレールに固定するステップとを備えたことを特徴とする請求項１乃至３のいずれかに記載のエレベータのかごの吊り天井の変更方法。
【発明の詳細な説明】
【技術分野】
【０００１】
この発明は、主として吊り天井形式の天井に蛍光灯等の光源体が装備されたエレベータかご室に関するものである。
【背景技術】
【０００２】
従来のエレベータかご室において、かご室の天井の仕様変更時にかご室の外での作業を不要とすべく、吊り天井を形成するケースをかご室の天井板の下面に対向して配置し、またケースの下面に照明用開口部を形成すると共に内部には光源体を装着する。また、電源用の接続具を天井板に設け、接続具に係合される光源体用電源の接続子をケースに設ける。また、かご室内側からの操作によってケースを天井板に係合する締結具を設ける。これらによって、接続子及び光源体を装着したケースをかご室に搬入し、かご室内側からの操作により天井箇所の組立を行うことができるもの（特許文献１参照。）が示されている。
【０００３】
【特許文献１】特開２００３−２１２４５４号公報（第１〜３頁、第１〜３図）
【発明の開示】
【発明が解決しようとする課題】
【０００４】
特許文献１の従来技術や、従来のエレベータかご室の照明デザインでの工法では、デザインに合わせて天井内部の照明器具を配置するため、照明デザインの変更時に照明のランプの位置を変更することが発生しない場合には、照明版のみで変更することができる。しかし、照明のランプの位置やケースのデザインを変更する場合は、照明版のみの変更で対処することができず、結局吊り天井を形成するケース全てを交換しないと、照明ランプの位置が変更となるような照明デザインの変更を行うことができないという問題があった。
【０００５】
この発明は、かかる問題点を解決するためになされたもので、照明デザインの変更時に照明のランプの位置を変更することが発生するような場合にでも、照明版のみの変更や、一部のケースの変更のみで、照明ランプやケースの位置が変更可能となるような照明デザインの変更を行うことができるエレベータのかご室を得ることを目的としている。
【課題を解決するための手段】
【０００６】
この発明は、かご室を構成する壁板と、かご室の上部を構成し壁板に固定される天井板と、天井板に固定されるもので、締結手段の一方を固定すると共に前記締結手段の一方の固定可能な位置を所定範囲設けたレールと、前記締結手段の一方と締結可能な締結手段の他方と、前記締結手段によって固定され、光源体を有するケースとを備えたものである。
【０００７】
また、かご室を構成する壁板と、かご室の上部を構成し壁板に固定される天井板とを固定するステップと、締結手段の一方を固定すると共に前記締結手段の一方の固定可能な位置を所定範囲設けたレールを前記天井板に固定するステップと、前記締結手段の一方と締結可能な締結手段の他方とによって、光源体を有するケースを前記締結手段によって固定するステップとを備えたものである。
【０００８】
また、前記レールに固定された前記ケースを移動可能にするステップと、前記ケースを所定の位置に移動または複数ある前記ケースの一部を変更するステップと、前記ケースを締結手段によってレールに固定するステップとを備えたものである。
【発明の効果】
【０００９】
この発明は、天井板に固定され、締結手段の一方を固定すると共に前記締結手段の一方の固定可能な位置を所定範囲設けたレールを利用して、かご室内のみで工事可能で、照明デザインの変更時に照明のランプの位置を変更することが発生するような場合にでも、照明版のみの変更で、照明ランプの位置が変更可能となるような照明デザインの変更を行うことができる。
【発明を実施するための最良の形態】
【００１０】
実施の形態１．
図１は、本発明の実施の形態１に係わるエレベータのかご室において、吊り天井に相当するケースの締結作業状態を説明するかご室上部の縦断面図である。図１において、かご室１は、かご室１の外壁を構成する壁板２と、壁板２の上端に縁部が接続されてかご室１の上面を形成する天井板３から構成されている。
【００１１】
かご室１内に配置され、上面が天井板３に対向して配置されて吊り天井を形成するケース４は、下面に照明用開口部が設けられている。ケース４には、光源体５が固定されている。光源体５に電力を供給する配線６は、光源体５と接続子７とに対して電気的に接続している。接続子７は、天井板３に固定された接続具８と電気的に接続可能であり、接続具８は、配線９と電気的に接続され、図示しないが、配線９は、電気的に電源と接続されている。したがって、電源から光源体５へ電力を供給することができ、その電力によって光源体５は発光することができる。
【００１２】
天井板３とケース４との固定方法について説明する。図２は、本発明の実施の形態１に係わるエレベータのかご室１の天井板３の構成図である。
天井板３には、レール１０が、２列に平行で各列二つずつ、４箇所固定されている。図１に示されているように、レール１０の断面形状は、ケース４と固定されている面に対して対向する面の一部は切り欠かれている形状である。また、天井板３に固定されたレール１０に対し、締結手段の一方を構成するボルト１１が挿入されている。ボルト１１は、レール１０の切り欠き形状に対し、ボルト１１のネジ部は通過可能であるが、ボルト１１の頭形状は通過させることは出来ない形状であるために、ボルト１１は引っかかり、下には落ちないようになっている。
【００１３】
ケース４は、そのボルト１１のネジ部分を通過させる穴部４ａを有している。そして、ケース４の穴部４ａから突き出たボルト１１のネジ部に対し、穴部４ａの形状よりも大きく、ボルト１１のネジ部と螺合可能で締結手段の他方を構成するナット１２によって穴部４ａを挟んで締結可能となっている。従って、天井板３とケース４とを固定することができる。
【００１４】
よって、ケース４の固定は、天井板３に固定されたレール１０に対してボルト１１とナット１２を利用して行われるので、そのレール１０の長手方向の配置の方向に沿ってケース４を移動させることができる。また、ケース４は、天井板３の天井を形成する面に対し、３つのケース４にて形成され、各ケースの配置を変更したり、また一つずつ変更したりすることができる。以下にその例を示す。
【００１５】
図３は、本発明の実施の形態１におけるかご１内の、天井板３に固定されたケース４を示す図である。（ａ）は、下から天井板３に固定されたケースを見上げた図、（ｂ）は、（ａ）のＡ-Ａ断面図、（ｃ）は、Ｂ-Ｂ断面図である。
図３（ａ）において、照明板１３ａ、１３ｂ、１３ｃが３枚並列に並んでいるが、ケース４自体は図３（ｃ）から分かるように両側の二つのみに配置されている。ケース４に対応した照明板１３ａ、１３ｃは各々のケース４の下部に設けられた凸部に係合するように設置されている。そして真中の照明板１３ｂは曲線状の断面形状を有し、ケース４の下部に設けられた凸部に係合することで、両側のケース４に挟まれて配設されている。尚、各ケース４は、２本のレール１０に各々２箇所ずつ、４箇所をボルト１１とナット１２にて固定されている。ナット１２の種類は例えばロックナットなどが使用されるが、使用条件に応じて他の種類のナットを使用することも可能である。
【００１６】
例えば、図３（ｃ）において、両側のケース４の間隔を広げたり、縮めたりするようなデザイン変更に対して、以前は、ケース４全てを交換する必要があるのに対し、実施の形態１においては、もともと存在したケース４の配設する位置をボルト１１とナット１２との螺合を緩めることで、ケース４の位置の移動を可能とし、天井板１３ｂを変更するのみで、ケース４全てを交換することなく、両側のケース４の間隔を広げたり、縮めたりするようなデザイン変更に対応することが出来る。
【００１７】
図４は、本発明の実施の形態１におけるデザイン変更後の図３（ｃ）に対応する断面図である。まず、高さが均一なケース４を高さが傾斜形状を有するケース１４に変更し、光源体を円形蛍光管１５から、直管蛍光管１６に変更し、照明板１３ａ〜１３ｃをそれぞれ対応させて１３ｄ〜１３ｆに変更している。
【００１８】
図４において、従来の発明であれば、天井板３のほぼ全域に近い部分が変更となるため、天井板３とほぼ同じ大きさのケース４を交換しなければならなかったが、実施の形態１によれば、従来技術の約１／３ずつの大きさのケースを二つと、照明板の三つを交換すればよく、各々の部品が小さくなるため、かごのドアを通過させるために分解作業等の必要がなくなるなど、その交換作業の効率化を図ることが出来る。
【００１９】
尚、図３（ｃ）、図４におけるケース４、ケース１４、照明板１３ａ〜１３ｆについて、図３（ｃ）と図４に示した二通りだけではなく、図３（ｃ）において、曲面状の照明板１３ｂの代わりに平面状の照明板１３ｅと入れ替えたり、図４において、平面状の照明板１３ｅの代わりに曲面状の照明板１３ｂとしたりなど、ケース４を３分割にしたことで、簡単な変更にて形状的なデザインの変更を容易にすることができる。その際にケース４や、ケース１４の位置の微調整なども容易に行うことができる。
【００２０】
以上のことより、かご室を構成する壁板２と、かご室の上部を構成し壁板に固定される天井板３と、天井板３に固定されるもので、ボルト１１を固定すると共にボルト１１の固定可能な位置を所定範囲設けたレール１０と、ボルト１１と螺合による締結可能なナットと、ボルト１１とナット１２によって固定され、光源体を有するケース４とを備えたので、かご室内のみで工事可能で、照明デザインの変更時に照明のランプの位置を変更することが発生するような場合にでも、照明版のみの変更で、照明ランプの位置が変更可能となるような照明デザインの変更を行うことができる。
【００２１】
また、かご室１を構成する壁板２と、かご室の上部を構成し壁板に固定される天井板３とを固定するステップと、締結手段の一部であるボルト１１を固定すると共に締結手段の一方の固定可能な位置を所定範囲設けたレール１０を天井板３に固定するステップと、ボルト１１と締結可能なナット１２とによって、光源体５を有するケース４をボルト１１とナット１２とによって固定するステップとを備えたので、ケース４と照明板１３との組み合わせにより、より多くの多種のデザインの吊り天井を有するかごを製造することができる。
【００２２】
また、レール１０に固定されたケース４をボルト１０とナット１１との締結を緩めることで移動可能にするステップと、ケース４を所定の位置に移動または複数あるケース４の一部を変更するステップと、ケース４をボルト１１とナット１２とによってレール１０に固定するステップとを備えたので、ケース４の位置の調整や一部のケース４の変更によって吊り天井のデザインを変更することができる。
【００２３】
実施の形態２．
図５は、本発明の実施の形態２に係わるエレベータのかご室１の天井板３の構成図である。実施の形態１との違いは、レール１０が２列２箇所だけではなく、左右両側は、横方向に一つずつ各４列、その間には、三つずつ２列に配設されている。
【００２４】
図６は、本発明の実施の形態２におけるかご１内の、天井板３に固定されたケース４を下から見上げた図である。図５に示されているレール１０の組み合わせのうち、左右両側は、上側二つずつ、下側二つのレール１０につき、一つずつのケース４の固定用に利用されている。その間の部分に配設された上下方向に３本、２列にされたレール１０については、上側、中側、下側の各二つのレール１０につき、各々ケース４の固定用に利用されている。
【００２５】
このように配設することで、図６において、例えば真中のケース４のみ、その模様、形状を変更したい場合は真中のケース４の３個のみの交換が可能であり、従来技術のように、一体に構成されたケース４を交換する必要はない。
また、真中の列の幅の大小を変更したい場合は、その真中にあるケース４の三つのみを交換すればよい。
【００２６】
従って、実施の形態２の発明によれば、実施の形態１と同様の効果を奏することが出来る。
また、実施の形態２においては、ケース４を２種類７つをレール１０に配設しているが、レール１０の配置から、これを実施の形態１のように１種類で２つのケースと、３つの照明板との構成に変更することが可能であり、ケース４の形状パターンを変更しても、該当するケース４の変更のみで済み、交換の作業効率を向上することができる。
その他、実施の形態２の図６から、真中の列のみ実施の形態１の照明板に変更したり、図３に示される左右両側のケースに変更することも可能である。
【００２７】
実施の形態３．
図７は、本発明の実施の形態３に係わるエレベータのかご室１の天井板３を下面方向からみた図である。実施の形態２との違いは、左右両側は、レール１０が横方向に一つずつ各４列ではなく、一つずつ６列に配列されている。その間は、三つずつ２列に配設されており、実施の形態２と同様である。尚、表示していない部分については実施の形態２と同じであり、図７中、図５と同一符号は同一又は相当部分を示す。
【００２８】
図８は、実施の形態３におけるかご１内の、天井板３に固定されたケース４を下から見上げた図である。図７に示されているレール１０の組み合わせのうち、左右両側は、上側二つ、中側二つ、下側二つずつ、各々のケース４の固定用に利用されている。その間の部分に配設された上下方向に３本、２列にされたレール１０については、上側、中側、下側の各二つのレール１０につき、各々のケース４の固定用に利用されている。ケース４は、天井板３の天井面に対し、等しく３列×３列の９つに分割された形状となっている。
【００２９】
図９は、実施の形態３におけるかご１内の、デザイン変更後の天井板３に固定されたケース４を下から見上げた図である。図８と比較して、図９は左上、左下、真中、右上、右下のケース９がダウンライト１７付きのケース４に変更されている。従来技術であれば、
ケース４を全面的に交換する必要があるところ、実施の形態３においては、５つのケース４を交換するだけでよい。
【００３０】
従って、実施の形態３の発明によれば、上記効果以外にも、実施の形態２と同様の効果を奏することができる。
また、真中の列の幅の大小を変更したい場合は、その真中にあるケース４の三つのみを交換すればよい。
【図面の簡単な説明】
【００３１】
【図１】本発明の実施の形態１に係わるエレベータのかご室において、吊り天井に相当するケースの締結作業状態を説明するかご室上部の縦断面図である。
【図２】本発明の実施の形態１に係わるエレベータのかご室１の天井板３の構成図である。
【図３】本発明の実施の形態１におけるかご１内の、天井板３に固定されたケース４を示す図である。
【図４】本発明の実施の形態１におけるデザイン変更後の図３（ｃ）に対応する断面図である。
【図５】本発明の実施の形態２に係わるエレベータのかご室１の天井板３の構成図である。
【図６】本発明の実施の形態２におけるかご１内の、天井板３に固定されたケース４を下から見上げた図である。
【図７】本発明の実施の形態３に係わるエレベータのかご室１の天井板３を下面方向からみた図である。
【図８】実施の形態３におけるかご１内の、天井板３に固定されたケース４を下から見上げた図である。
【図９】実施の形態３におけるかご１内の、デザイン変更後の天井板３に固定されたケース４を下から見上げた図である。
【符号の説明】
【００３２】
１  かご室、２  壁板、３  天井板、４  ケース、５  光源体、６  配線、７  接続子、８  接続具、９  配線、１０  レール、１１  ボルト、１２  ナット、１３ａ〜１３ｆ  照明板、１４  ケース、１５  円形蛍光管、１６  直管蛍光管、１７  ダウンライト。
【図１】
2006199401.tif 000003
【図２】
2006199401.tif 000004
【図３】
2006199401.tif 000005
【図４】
2006199401.tif 000006
【図５】
2006199401.tif 000007
【図６】
2006199401.tif 000008
【図７】
2006199401.tif 000009
【図８】
2006199401.tif 000010
【図９】
2006199401.tif 000011